(57)【要約】【課題】社員の健康情報を効率良く管理可能な社員用健康情報管理システムを提案すること。【解決手段】ＩＤ記憶領域３ｃと健康情報記憶領域３ｄが備わっている社員証３を利用した社員用健康情報管理システム２では、健康診断機器が設置されている健康診断場所１１、１２、１３に配置したカードリーダライタ１１ｂ、１２ｂ、１３ｂによって、得られた測定結果が受診者である社員の社員証３に書き込まれる。会社１に戻った社員が会社の施設に設置されているカードリーダライタ８ｂ、９ｂ、１０ｂに通すと、社員認証動作と共に、健康情報が読み取られ、会社内健康管理サーバ４に送信される。会社内健康管理サーバ４は、受信した健康情報を社員ＩＤに対応付けした形態で健康管理データベース５に登録する。当該健康管理データベース５において、社員証に蓄積されている各社員の健康情報が常にバックアップされる。【選択図】図１
2008305049.tif 000002
【特許請求の範囲】
【請求項１】
社員識別情報が記憶保持されているＩＤ記憶領域、および、健康情報を記憶するための健康情報記憶領域が備わっている社員証を、各社員に発行し、
健康状態を測定可能な機器が設置されている健康診断場所に社員証書込装置を設置し、
各健康診断場所において得られた測定結果を、社員証書込装置を用いて、被測定者である社員が所有する社員証の健康情報記憶領域に書き込み、
社員が属する会社の施設に設置されている社員証読取装置において、社員識別情報の読み取り時に健康情報記憶領域に記憶保持されている健康情報を読み取り、
社員証読取装置で読み取られた健康情報を社員識別情報と共に、社員の健康情報を管理するための健康管理サーバに送信し、
健康管理サーバにおいて、受信した健康情報を社員識別情報に対応付けした形態で、健康管理データベースに登録し、
当該健康管理データベースにおいて、各社員証に記憶保持されている各社員の健康情報をバックアップすることを特徴とする社員用健康情報管理方法。
【請求項２】
請求項１に記載の社員用健康情報管理方法において、
前記社員証はＩＣカードであることを特徴とする社員用健康情報管理方法。
【請求項３】
請求項１または２に記載の社員用健康情報管理方法において、
前記健康診断場所には、少なくとも、病院施設、スポーツジム、診療所、各社員の自宅のうちの一つが含まれていることを特徴とする社員用健康情報管理方法。
【請求項４】
請求項１ないし３のうちのいずれかの項に記載の社員用健康情報管理方法において、
社員証読取装置は、少なくとも、社員の出退勤を管理するための出退勤システム、社員の入退室を管理するための入退室管理システム、および、社内の売店のＰＯＳシステムのうちの一つに配置されていることを特徴とする社員用健康情報管理方法。
【請求項５】
請求項１ないし４のうちのいずれかの項に記載の社員用健康情報管理方法において、
社員証書込装置は、社員証の健康情報記憶領域に健康情報を書き込む際に、健康情報の種類毎に、書込み日時情報および書込み場所情報の少なくとも一方を含む属性情報を書き込み、
社員証読取装置は、社員証から健康情報および属性情報を読み取り、
健康管理サーバは、健康情報および属性情報を、社員識別情報と対応付けした形態で健康管理データベースに登録することを特徴とする社員用健康情報管理方法。
【請求項６】
請求項５に記載の社員用健康情報管理方法において、
前記属性情報には前記書込み日時情報が含まれており、
健康管理サーバは、社員証読取装置から情報を受信すると、その書込み日時情報を健康管理データベースに登録されている書込み日時情報と比較し、登録されている日時よりも新しい場合にのみ、受信した健康情報により対応する登録内容を更新することを特徴とする社員用健康情報管理方法。
【請求項７】
請求項６に記載の社員用健康情報管理方法において、
健康管理サーバは、社員証読取装置から情報を受信すると、その書込み日時情報が健康管理データベースに登録されている書込み日時情報と同一の日時である場合には、受信した健康情報が健康管理データベースに登録されている健康情報と一致しているか否かを検証し、
一致している場合には、健康情報が正常にバックアップされていると判断し、一致していない場合には異常が発生していると判断することを特徴とする社員用健康情報管理方法。
【請求項８】
請求項１ないし７のうちのいずれかの項に記載の社員用健康情報管理方法により各社員の健康情報を管理することを特徴とする社員用健康情報管理システム。
【発明の詳細な説明】
【技術分野】
【０００１】
本発明は、ＩＣカードなどの記憶媒体からなる社員証を利用して社員の健康情報を一元管理するのに適した社員用健康情報管理方法およびシステムに関する。
【背景技術】
【０００２】
企業においては社員の健康管理のために定期健康診断その他の健康診断を行うことが義務付けられている。社員の定期健康診断は、測定機器が搭載された検診車、あるいは測定機器が備わっている病院などにおいて行われる。一般に、検診結果は、受診票に記載されて受診者に渡され、受診票によって検診データが管理される。
【０００３】
特許文献１には、健康診断場所において受診票の代わりにＩＣカードを受診者に発行し、検診結果をＩＣカードに記録し、健康診断後にはＩＣカードの記録内容に基づき各受診者の健康状態をチェックすることのできる健康診断管理システムが提案されている。特許文献２にはＩＣカードシステムが開示されており、ＩＣカードを社員証として用いて企業に設置されている各データベースへのアクセスを制御することが記載されている。例えば、ＩＣカードを用いて健康管理室端末から健康診断データベースを利用する点が記載されている（当該文献の段落番号０１１７、０１２３）。
【特許文献１】特開２０００−１３９８４５号公報
【特許文献２】特開２００５−１２２４０２号公報
【発明の開示】
【発明が解決しようとする課題】
【０００４】
ここで、近年においては健康志向の高まりから、スポーツジムなどの施設に通う人も多く、また、運動器具を購入して個人的に運動をする人も多い。これに伴って、スポーツジム、家庭などの各所に、心拍数、血圧などの測定器具が普及し、定期健康診断、あるいは病院などの医療施設以外の場所においても簡単に健康診断を行うことができるようになってきている。
【０００５】
しかしながら、各所において得られた測定結果、診断結果は、各所において分散して管理されているのが現状である。このため、各人の診断結果、測定結果の最新データ、換言すると、各人の現在の健康状態を最も反映している健康情報については、各人がそれぞれ管理するしか方法がないのが現状である。
【０００６】
健康診断結果を病院、スポーツクラブなどの個別の施設において一括管理するためには、これらの施設の間にネットワークを構築して健康情報を一括管理するシステムを実現する必要がある。このようなシステムを構築することは現実的には困難である。
【０００７】
また、特許文献１に開示されている健康診断管理システムにおいて使用されているＩＣカードに健康情報を常に記録することも考えられる。しかし、ＩＣカードを紛失した場合には健康情報が完全に失われてしまうので、健康管理を適切に行うことができなくなってしまい、極めて不便である。
【０００８】
本発明の課題は、このような点に鑑みて、各企業に備わっている社員認証用の設備を有効利用して、企業単位で社員の健康情報管理を効率良く行うことのできる社員用健康情報管理方法およびシステムを提案することにある。
【課題を解決するための手段】
【０００９】
上記の課題を解決するために、本発明の社員用健康情報管理方法は、
社員識別情報が記憶保持されているＩＤ記憶領域、および、健康情報を記憶するための健康情報記憶領域が備わっている社員証を、各社員に発行し、
健康状態を測定するための機器が設置されている健康診断場所に、社員証書込装置を設置し、
各健康診断場所において得られた測定結果を、社員証書込装置を用いて、被験者が所有する社員証の健康情報記憶領域に書き込み、
社員が属する会社の施設に設置されている社員証読取装置において、社員識別情報の読み取り時に健康情報記憶領域に記憶保持されている健康情報を読み取り、
社員証読取装置で読み取られた健康情報を社員識別情報と共に、社員の健康情報を管理するための健康管理サーバに送信し、
健康管理サーバにおいて、受信した健康情報を社員識別情報に対応付けした形態で、健康管理データベースに登録し、
当該健康管理データベースにおいて、各社員証に記憶保持されている各社員の健康情報をバックアップすることを特徴としている。
【００１０】
ここで、前記社員証には、磁気カードなどに比べて記憶容量が大きいＩＣカードを用いることができる。
【００１１】
また、前記健康診断場所は、健康診断用の測定機器が設置されている病院施設、診療所、各種の測定器具が設置されているスポーツジムなどを挙げることができる。また、社員の自宅に血圧計、脈拍計などの測定機器が備わっている場合には自宅でもよい。これらの測定機器の測定結果を社員証に書き込むことのできるカードリーダライタなどの社員証書込装置を各測定機器に接続できるようにすればよい。
【００１２】
さらに、社員証読取装置としては、例えば、社員の出退勤を管理するための出退勤システム、社員の入退室を管理するための入退室管理システム、社員食堂の食券販売機、社内の売店のＰＯＳシステムなどに用いられている社員認証用のカードリーダライタなどの社員証読取装置を用いることができる。
【００１３】
本発明の社員用健康情報管理方法では、社員証を利用して各社員の健康情報が一元管理される。すなわち、病院などにおける健康診断結果が社員証に蓄積される。また、スポーツジムなどの施設において測定された心拍数、血圧などの測定結果も社員証に蓄積される。したがって、各社員の健康状態を表す健康情報が社員証によって一元管理される。この結果、社員の現在の健康状態を表す情報が常に社員証に蓄積された状態が形成されるので、この健康情報に基づき社員の健康状態を正確に判断でき、社員の健康管理に対して適切な指導も行うことが可能になる。
【００１４】
また、社員証に蓄積されている健康情報は、社員証読取装置で読み取られて企業の健康管理データベースに登録され、そのバックアップが取られる。社員証は、一般に、出退勤時、入退室時、社員食堂、社員用売店などにおいて使用されている。したがって、通常の勤務状態においては１日に複数回、社員証が企業に設置されているシステムによって読み込まれ、社員認証が行われる。よって、社員証に蓄積されている健康情報が更新された場合には、一般的には更新された日のうちに、あるいは次の日には、そのバックアップデータが健康管理データベースに登録される。この結果、社員が社員証を紛失した場合などにおいても社員の最新の健康状態を表す健康情報を知ることができる。
【００１５】
ここで、健康管理データベースの更新を行う場合には、社員証に蓄積されている健康情報の書込み日時に基づき行えばよい。すなわち、社員証書込装置において、社員証の健康情報記憶領域に、各健康情報の書き込み時に書込み日時情報を書き込む。社員証読取装置において、社員証から健康情報および書込み日時情報を読み取り、健康管理サーバにおいて、各健康情報を、社員識別情報および書込み日時情報と対応付けした形態で健康管理データベースに登録しておく。
【００１６】
そして、健康管理サーバにおいて、社員証読取装置から情報を受信すると、その健康情報の書込み日時情報を健康管理データベースに登録されている対応する健康情報の書込み日時情報と比較し、登録されている日時よりも新しい場合にのみ、受信した健康情報により対応する登録内容を更新する。
【００１７】
また、その書込み日時情報が健康管理データベースに登録されている書込み日時情報と同一の日時である場合には、受信した健康情報が健康管理データベースに登録されている健康情報と一致しているか否かを検証し、一致している場合には、健康情報が正常にバックアップされていると判断し、一致していない場合には異常が発生していると判断する処理を行えばよい。この判断に基づき、異常が発生している場合の回復処理を迅速に行うことができる。
【００１８】
ここで、健康情報の属性情報として、書込み場所情報がある。書込み場所情報を記録することにより、健康情報がどこで測定されたのかを知ることができる。例えば、病院において専門の検査員によって測定された場合には、その測定情報の信頼性は高いと判断できる。逆に、社員が自宅で測定した場合には、その測定情報の信頼性は高くないと判断できる。
【００１９】
一方、本発明は社員用健康情報管理システムに関するものであり、上記の方法により各社員の健康情報を管理することを特徴としている。
【発明の効果】
【００２０】
本発明の社員用健康情報管理方法およびシステムにおいては、ＩＣカードなどの記憶媒体からなる社員証を利用して、各社員の健康情報を社員毎に一括管理するようにしている。企業には社員証により社員認証を行うシステムが構築されているので、健康診断機器、測定機器が設置されている施設、場所に、カードリーダライタなどの社員証書込装置を設置するだけで、本発明の方法およびシステムを実現できる。よって、本発明により、初めて、各社員の健康情報を一元管理可能な実用的な方法およびシステムが得られる。
【００２１】
また、各企業の健康管理データベースにおいて各社員の健康情報のバックアップデータが保存されており、バックアップデータは社員が意識することなく社員証を使用する毎に更新される。よって、バックアップデータの更新作業に煩わされることがなく、また、更新作業が実質的にリアルタイムで行われる。したがって、例えば、社員証を紛失した場合においても社員の最新の健康状態をバックアップデータから知ることができる。
【発明を実施するための最良の形態】
【００２２】
以下に、図面を参照して、本発明を適用した社員用健康情報管理システムの実施の形態を説明する。
【００２３】
（全体構成）
図１は、本実施の形態に係る社員用健康情報管理システムを示す概略構成図である。会社の施設１内に主要部分が設置されている社員用健康情報管理システム２は、社員証３を用いて社員認証を行うことにより会社企業内の各施設への入出室管理、企業内の各コンピュータ機器、各データベースへのアクセスの管理、各社員の出退勤管理、社内の売店の販売管理を行う企業内管理システムのハードウエアおよびソフトウエアを利用して構築されている。
【００２４】
社員証３は例えばＩＣカードから製作されている。本例では、社員証３はプラスチック製の矩形のカード本体３ａと、ここに埋め込まれているＩＣチップ３ｂとを備えており、ＩＣチップ３ｂの記憶領域には、社員認証用の社員ＩＤ３０が記憶されているＩＤ記憶領域３ｃ、健康情報を記憶するための健康情報記憶領域３ｄなどが含まれている。健康情報には、血圧値、心拍数、血糖値、体脂肪率、体力や持久力を表す項目などが含まれており、これらの項目３１と、検査値あるいは測定値３２と、書込み日時３３とが対応付けした形態で健康情報記憶領域３ｄに蓄積される。
【００２５】
社員用健康情報管理システム２は、コンピュータおよび入力装置、出力装置、外部メモリなどの周辺機器を備えた会社内健康管理サーバ４を中心に構成されている。会社内健康管理サーバ４は例えば外部メモリに構築された健康管理データベース５を備えており、ここに各社員の健康情報が登録されて一元管理される。この健康管理データベース５には、各社員の社員ＩＤを含む社員情報５０と、各健康情報を表す項目５１および検査値あるいは測定値５２と、書込み日時５３とが対応付けされた形態で登録される。
【００２６】
会社内健康管理サーバ４には、社内ＬＡＮ６を介して、複数台のコンピュータ端末、コピー機などの情報処理端末７（１）、７（２）・・・が接続されている。また、社員証３を用いる必要のある装置、端末が接続されている。これらには、例えば、１箇所あるいは複数個所に配置した社員の出退勤管理装置８ａ、機密資料などが保管されている資料室の出入り口に取り付けた入退室管理装置９ａ、社員用売店のレジに配置されたＰＯＳ端末１０ａなどが含まれている。これら出退勤管理装置８ａ、入退室管理装置９ａ、ＰＯＳ端末１０ａには、それぞれ、社員証３に対する情報の書込み、読み取りを行うためのカードリーダライタ８ｂ、９ｂ、１０ｂ（社員証読取装置）がそれぞれ搭載あるいは接続されている。
【００２７】
公知のように、出退勤管理装置８ａでは、カードリーダライタ８ｂによって社員証３を読み取り、各社員の出勤および退勤時間を管理する。入退室管理装置９ａでは、社員証３に基づき、入室が許可されている社員のみの入室を許可する。ＰＯＳ端末１０ａでは、社員証に基づき、商品の販売代金の課金・清算などの処理などを社員毎に行う。これらの各端末での処理情報は会社内健康管理サーバ４として機能する会社内管理サーバに送信され、当該会社内管理サーバによって構築されている各データベースに登録される。
【００２８】
一方、社員用健康管理システム２は、会社内管理システムを用いて構築されている部分に加えて、会社外の施設に配置されたカードリーダライタ（社員証書込装置）を備えている。例えば、病院１１の施設内には１台あるいは複数台のカードリーダライタ１１ｂが設置される。また、スポーツジム１２の施設内においても１台あるいは複数台のカードリーダライタ１２ｂが設置される。さらに、各社員の自宅１３にも例えば１台のカードリーダライタ１３ｂが設置される。
【００２９】
（健康情報の管理）
上記構成の社員用健康情報管理システム２による各社員の健康情報の処理動作を説明する。まず、会社から、各社員に、社員ＩＤ３０が書き込まれた社員証３が発行される。各社員証３には健康情報記憶領域３ｄが備わっている（ブロックＢ１）。
【００３０】
例えば、社員が病院１１に出向き健康診断を受けた場合には（ブロックＢ２）、そこに設置されているカードリーダライタ１１ｂによって健康診断結果が社員証３に書き込まれる（ブロックＢ３）。
【００３１】
この社員が次の日に会社１に出勤して出退勤管理装置８ａのカードリーダライタ８ｂに社員証３を通すと、社員認証動作と並行して、そこに書き込まれている健康情報が読み取られて会社内健康管理サーバ４に送信される（ブロックＢ４）。会社内健康管理サーバ４では、受診した健康情報を社員ＩＤ、書込み日時と対応付けした形態で健康管理データベース５に登録する（ブロックＢ５）。これにより、社員証３に書き込まれている健康情報のバックアップデータが健康管理データベース５に保持される。
【００３２】
次に、同一の社員が別の日に昼休みを利用してスポーツジム１２に行きトレーニングの前に血圧、心拍数などを測定したとする（ブロックＢ２）。この場合にも、スポーツジム１２に設置されているカードリーダライタ１２ｂによって測定値が社員証３に書き込まれる（ブロックＢ３）。ここで、社員証３の健康情報記憶領域３ｄには病院での検診情報が既に書き込まれているので、これらの検診項目および書込み日時が、新たなものに更新される。
【００３３】
この後に、この社員が会社に戻り、例えば、資料室に入って業務を行ったものとする。この場合には、入室のために社員証３を入退室管理装置９ｂのカードリーダライタ９ｂに通す必要がある。社員証３を通すと、社員認証動作と共に、そこに書き込まれている健康情報が読み取られて会社内健康管理サーバ４に送信される（ブロックＢ４）。会社内健康管理サーバ４では、健康管理データベース５に登録されている当該社員の健康情報の書込み日時が、受信した更新日時よりも古いことを確認する。しかる後に、受診した健康情報、この場合には、血圧値および心拍数の項目を更新し、それらの書込み日時も更新する（ブロックＢ５）。
【００３４】
このようにして、各社員が健康診断、測定を受ける毎に、社員証３に最新の健康情報が蓄積される。また、社員証３に蓄積された最新の健康情報は、会社内において社員証３を使用して社員認証を行う毎に読み取られて会社内健康管理サーバ４に送信される。よって、健康管理データベース５において、常に、社員証３に蓄積されている健康情報のバックアップが取られることになる。
【００３５】
社員証３によって各社員の健康状態が一元管理されると共に、常に現在の健康状態を反映した最新の情報が蓄積されている。よって、各社員は、例えば、会社１内のコンピュータ端末７（１）にカードリーダライタ７ｂを接続して社員証３に蓄積されている健康情報を読み出してモニターなどに表示することにより、自分の健康状態を必要に応じてチェックできる。
【００３６】
また、会社の側の健康管理の担当者は、健康管理データベース５の登録情報を確認することにより、各社員の現在の健康状態を反映した最新の健康情報を見ることができ、各社員の健康管理を適切に行うことが可能になる。さらに、社員が社員証３を紛失した場合においても、健康管理データベース５に常に最新の健康情報がバックアップされているので、社員証紛失によって健康管理に支障をきたすこともない。
【００３７】
なお、本例の情報管理処理においては、書込み日時に基づき、社員証３および健康管理データベース５の健康情報の更新を行うようにしている。書込み日時と共に、健康情報の書込み場所、すなわち、健康情報が病院、スポーツジム、自宅などの各場所のいずれで社員証３に書き込まれたのかを表す施設情報も、健康情報の属性情報として社員証３に書込み、これに基づき更新処理を行うようにしてもよい。例えば、病院において専門の検査員が行う検査の結果は信頼性が高いが、自宅などにおいて自分で行う測定結果の信頼性、精度は低いのが一般的である。したがって、同一項目の検査結果であっても、それが行われた場所が異なる場合には、別個に記憶保持しておくことが望ましい場合もある。このような場合には、検査、測定場所を表す施設情報を書き込み、これに基づき、健康情報の記憶、更新を管理することが望ましい。
【００３８】
また、ＸＭＬなどの共通言語を採用して健康情報を管理すれば、各所において社員証に書き込まれた健康情報をパソコンなどの汎用的な情報処理機器を用いて簡単に確認することができる。
【００３９】
さらに、上記の例では、健康管理データベース５において社員証３に蓄積される健康情報のバックアップを取るようにしている。社員証３においては健康情報を上書きして更新し、健康管理データベース５においてはバックアップ情報と共に過去の健康情報履歴を保存しておいてもよい。このようにすれば、各社員の健康状態の推移を知ることができ、これに基づき、生活習慣の改善などの指導を会社の側から適切に行うことができる。
【図面の簡単な説明】
【００４０】
【図１】本発明を適用した健康情報管理システムの概略構成図である。
【図２】図１の健康情報管理システムの動作の概略フローチャートである。
【符号の説明】
【００４１】
１  会社、２  社員用健康情報管理システム、３  社員証、３ａ  カード本体、３ｂ  ＩＣチップ、３ｃ  ＩＤ記憶領域、３ｄ  健康情報記憶領域、３１  項目、３２  測定値、３３  書込み日時、４  会社内健康管理サーバ、５  健康管理データベース、５０  社員情報、５１  項目、５２  測定値、５３  書込み日時、６  社内ＬＡＮ、７（１），７（２）  情報処理端末、８ａ  出退勤管理装置、９ａ  入退室管理装置、１０ａ  ＰＯＳ端末、８ｂ，９ｂ，１０ｂ，１１ｂ，１２ｂ，１３ｂ  カードリーダライタ
【図１】
2008305049.tif 000003
【図２】
2008305049.tif 000004